(57)【要約】【課題】細胞培養スケジュールなどの空きの作業を作ることのできない作業のスケジューリングを支援する作業予定支援システムにおいて、作業人員の割り当てられていない作業について、リスケジューリングに適する直感的に分かりやすいユーザインタフェースを提供する。【解決手段】画面にスケジュール結果を表示するスケジュールエリアをとって、工程イベントテーブルに基づき、作業者ごとに、該当する年月日、時間帯に対して、工程の作業予定をセルごとに表示する。作業者の勤務時間帯に該当するセルは、スケジュールエリアの地色とは違う、水色で表示し、作業予定が入っている年月日の時間帯は、例えば、黄色で表示する。リスケジューリングのときに、未確定の作業予定をあらわすセルを、薄いピンク色で表示し、確定した作業予定をあらわすセルを、濃いピンク色で表示する。【選択図】図２０
2011013752.tif 000002
【特許請求の範囲】
【請求項１】
コンピュータにより実行される作業予定支援方法において、
前記コンピュータは、ＣＰＵと、記憶装置と、表示装置とを有し、
前記記憶装置は、作業をおこなう工程と、その工程の作業をおこなう作業日時と、その工程の作業をおこなう作業者を定める工程イベントテーブルを保持し、
前記ＣＰＵが前記工程イベントテーブルに基づき演算することにより、前記表示装置に、作業者ごとにスケジューリングの結果を表示するスケジュールエリアを表示し、
前記スケジュールエリアは、横軸に、年月日、縦軸に、時間帯をとって、マトリックス状に、一つのセルに一つの年月日の時間帯を割り当てるエリアであって、
前記作業者の勤務時間に該当する年月日の時間帯のセルを第一の表示形式で表示し、
前記作業者の作業予定のある年月日の時間帯のセルを第二の表示形式で表示し、
スケジュールの再割り当てをおこなう際に、未確定の作業予定が割り当てられた年月日の時間帯をあらわすセルを第三の表示形式で表示し、
スケジュールの再割り当てをおこなう際に、確定した作業予定が割り当てられた年月日の時間帯をあらわすセルを第四の表示形式で表示し、
前記第一ないし第四の表示形式は、各々識別可能なように表示されたこと特徴とする作業予定支援方法。
【請求項２】
前記第一ないし第四の表示形式は、各々色分け表示された形式であることを特徴とする請求項１記載の作業予定支援方法。
【請求項３】
コンピュータにより実行される作業予定支援システムにおいて、
前記コンピュータは、ＣＰＵと、記憶装置と、表示装置とを有し、
前記記憶装置は、作業をおこなう工程と、その工程の作業をおこなう作業日時と、その工程の作業をおこなう作業者を定める工程イベントテーブルを保持し、
前記ＣＰＵが前記工程イベントテーブルに基づき演算することにより、前記表示装置に、作業者ごとにスケジューリングの結果を表示するスケジュールエリアを表示し、
前記スケジュールエリアは、横軸に、年月日、縦軸に、時間帯をとって、マトリックス状に、一つのセルに一つの年月日の時間帯を割り当てるエリアであって、
前記作業者の勤務時間に該当する年月日の時間帯のセルを第一の表示形式で表示し、
前記作業者の作業予定のある年月日の時間帯のセルを第二の表示形式で表示し、
スケジュールの再割り当てをおこなう際に、未確定の作業予定が割り当てられた年月日の時間帯をあらわすセルを第三の表示形式で表示し、
スケジュールの再割り当てをおこなう際に、確定した作業予定が割り当てられた年月日の時間帯をあらわすセルを第四の表示形式で表示し、
前記第一ないし第四の表示形式は、各々識別可能なように表示されたこと特徴とする作業予定支援システム。
【請求項４】
前記第一ないし第四の表示形式は、各々色分け表示された形式であることを特徴とする請求項３記載の作業予定システム。
【発明の詳細な説明】
【技術分野】
【０００１】
本発明は、作業予定支援方法、および、作業予定支援システムに係り、特に、細胞培養業務のように、作業に対して空き時間を作ることが許されず、作業開始から終了まで、常に人員を配置して作業を一貫しておこなわせる作業計画を予定する業務に用いて作業予定支援方法、および、作業予定支援システムに関する。
【背景技術】
【０００２】
従来より、コンピュータシステムによって、作業予定を管理し、表示画面上に勤務予定表などを作成することがおこなわれている。
【０００３】
例えば、特許文献１には、勤務入力画面とチェック画面を同時に表示する技術が開示されている。
【先行技術文献】
【特許文献】
【０００４】
【特許文献１】特開平９−２５１４９０号公報
【発明の概要】
【発明が解決しようとする課題】
【０００５】
ところで、近年、最先端の医療法として再生医療が注目を浴びている。再生医療とは、事故や病気によって失われた体の細胞、組織、器官の再生や機能の回復を目的として、皮膚移植や臓器移植、骨髄移植など生きた細胞を使った細胞移植をおこなうものである。
【０００６】
再生医療では、患者（ドナー）から細胞を採取し、シャーレ上で培養した組織を患者へ移すといった手法を用いる。実際の作業としては、各細胞の種類ごとに定まっている培養プロトコル（組織の採取→検査→観察→培養→…→凍結保存→投与など）に従い、実際の施設などのリソース、作業人員の作業時間を割り当てることにより、工程を作成して、その工程に基づいて、作業がおこなわれていく。
【０００７】
この再生医療の細胞培養は、例えば、プラント設備における保守作業とは、異なり、上記のように定められた工程を実行するために、作業の遅延は許されないという特質がある。すなわち、作業の遅延は、検体の細胞が死亡したりするなどの事態に陥るため、常に作業人員を割当ておく必要がある。このときには、管理者は、作業人員が割り当てられていない工程に対しては、作業が空いてる作業要員を見つけ出し、作業を割り当てる。このような空きの作業を作ることのできない作業のスケジューリングを支援するためのユーザインタフェースについては、従来技術では、考慮されておらず、上記特許文献１にも開示がない。
【０００８】
本発明は、上記問題点を解決するためになされたもので、その目的は、空きの作業を作ることのできない作業のスケジューリングを支援するためのユーザインタフェースに関し、作業人員の割り当てられていない作業について、管理者が作業人員と相談しながら、再割り当てをおこなうことのできる直感的に分かりやすい作業予定支援方法、および、作業予定支援システムを提供することにある。
【課題を解決するための手段】
【０００９】
本発明の作業予定支援システムでは、細胞培養のスケジュールをおこなう際に、画面にスケジュールエリアをとって、作業をおこなう工程と、その工程の作業をおこなう作業日時と、その工程の作業をおこなう作業者を定める工程イベントテーブルに基づき、作業者ごとに、該当する年月日、時間帯に対して、工程の作業予定を表示する。スケジュールエリアは、横軸に、年月日、縦軸に、時間帯をとられており、マトリックス状に、一つのセルに一つの年月日の時間帯が割り当てられている。
【００１０】
そして、作業者の勤務情報を記憶しておき、勤務時間帯に該当するセルは、スケジュールエリアの地色とは違う、例えば、水色で表示し、作業予定が入っている年月日の時間帯は、例えば、黄色で表示する。
【００１１】
工程管理責任者が、リスケジューリングをおこなって、作業が割り当てられていない工程に対して、作業の再割り当てをおこなう際に、未確定の作業予定をあらわすセルを、例えば、薄いピンク色で表示し、確定した作業予定をあらわすセルを、例えば、濃いピンク色で表示する。
【００１２】
これにより、リスケジューリングの際に、工程管理責任者が、薄いピンク色で表示された未確定の作業予定を、作業者に了解をとってあらためて、確定させるというステップをふむことができる。
【発明の効果】
【００１３】
本発明によれば、空きの作業を作ることのできない作業のスケジューリングを支援するためのユーザインタフェースに関し、作業人員の割り当てられていない作業について、管理者が作業人員と相談しながら、再割り当てをおこなうことのできる直感的に分かりやすい作業予定支援方法、および、作業予定支援システムを提供することができる。
【図面の簡単な説明】
【００１４】
【図１】本発明の一実施形態に係る作業予定支援システム概要を示す図である。
【図２】再生医療のための細胞培養の運用の概要について説明する図である。
【図３】本発明の一実施形態に係る作業予定支援システムのハードウェア構成図である。
【図４】本発明の一実施形態に係る作業予定支援システムのソフトウェア構成図である。
【図５】作業者情報テーブルの一例を示す図である。
【図６】設備構成テーブルの一例を示す図である。
【図７】培養プロトコルテーブルの一例を示す図である。
【図８】製品情報テーブルの一例を示す図である。
【図９】工程イベントテーブルの一例を示す図である。
【図１０】スケジューラ２０のメイン画面を示す図である。
【図１１】入力データを読み込んでいる様子を示す図である。
【図１２】従業員と勤務計画について入力データを設定している図である。
【図１３】設備構成について入力データを設定している図である。
【図１４】培養プロトコルについて入力データを設定している図である。
【図１５】製品情報について入力データを設定している図である。
【図１６】各設備機器の使用、各作業者のスケジュールのガントチャートを示す図である。
【図１７】製品別の培養のスケジュールのガントチャートを示す図である。
【図１８】作業者のスケジュールの結果表示をおこなっている様子を示す図である。
【図１９】日次ごとのスケジュールを示す図である。
【図２０】再スケジューリングの様子を示す図である（その一）。
【図２１】再スケジューリングの様子を示す図である（その二）。
【発明を実施するための形態】
【００１５】
以下、本発明の一実施形態を、図１ないし図２１を用いて説明する。
本発明の作業予定支援システムの説明として、以下の実施形態では、再生医療のための細胞培養スケジューラを例にとって説明する。
【００１６】
先ず、図１および図２を用いて本発明の一実施形態に係る作業予定支援システムのシステム概要について説明する。
図１は、本発明の一実施形態に係る作業予定支援システム概要を示す図である。
図２は、再生医療のための細胞培養の運用の概要について説明する図である。
【００１７】
本実施形態のシステムの理解のため、図２を用いて再生医療のための細胞培養の運用について簡単に説明する。
【００１８】
先ず、最初に病院で、ドナー（患者）から検体を採取して、細胞培養の依頼を、細胞培養センター（Cell Processing Centre: ＣＰＣ）に対しておこなう（１）。
【００１９】
細胞培養センターでは、培養の依頼を受け付けて、指図書を作成する（２）。指図書は、培養のプロトコルに基づき、作業内容、培養に使われる施設、作業要員、作業日程を規定したものである。ここで、作業内容のスケジューリングがおこなわれる。
【００２０】
そして、細胞調整、培養の手順で、指図書を実行することにより、「原材料準備」、「作業実施」、「実績登録」の手順をおこない、指図書の承認がおこなわれる（３）。
【００２１】
次に、培養した細胞の保存（４）、細胞培養センターからの出庫がおこなわれる（５）。
【００２２】
そして、最終的にドナーに対して投与されて、治療がおこなわれる（６）。
【００２３】
次に、図１を用いて本発明の一実施形態に係る作業予定支援システムの処理とデータの流れの概要について説明する。
【００２４】
本実施形態の作業予定支援システムは、図１に示されるように、細胞培養対応工程管理システム１０と、スケジューラ（意思決定支援システムツール）２０からなる。
【００２５】
細胞培養対応工程管理システム１０は、機器・作業者情報１０１と、指図書兼記録書情報１０２を保持する。そして、図１に示されるように、細胞培養対応工程管理システムを運用することにより、細胞培養の依頼の受け付け、製造計画の立案／変更、指図書の発行、承認、製造記録、確認、工程検査、承認、最後に、出荷承認がおこなわれる。
【００２６】
スケジューラ２０は、細胞培養対応工程管理システム１０の機器、作業者情報１０１を参照し、従業員の勤務計画を設定し、従業員：勤務計画２０１として保持する。また、機器、作業者情報１０１を参照し、機器の設備構成を設定し、設備構成２０２として保持する。
【００２７】
また、機器の保守計画を設定されたデータとして、機器：保守計画２０３を保持する。
【００２８】
指図書兼記録書情報１０２を参照し、培養プロトコルを設定し、培養プロトコル２０４として保持する。
【００２９】
細胞培養対応工程管理システム１０により、製造計画が立案され、製造番号と、製造開始日／終了日が決められる。
【００３０】
そして、スケジューラ２０は、それらの製造開始日／終了日と、培養プロトコル２０４を参照し、従業員勤務予定、機器運用予定を表示する。
【００３１】
工程管理責任者２１０は、それらに基づいて、従業員勤務予定を決定する。
【００３２】
また、スケジューラ２０は、スケジューラの表示に必要な製品情報２０５も保持する。
【００３３】
さらに、スケジューラ２０は、スケジューリングの結果として、工程情報２１０も保持する。
【００３４】
次に、図３および図４を用いて本発明の一実施形態に係る作業予定支援システムのハードウェア構成とソフトウェア構成について説明する。
図３は、本発明の一実施形態に係る作業予定支援システムのハードウェア構成図である。
図４は、本発明の一実施形態に係る作業予定支援システムのソフトウェア構成図である。
【００３５】
本発明の一実施形態に係る作業予定支援システムのハードウェア構成としては、例えば、図３に示されるような一般的なパーソナルコンピュータ３００で実現される。
【００３６】
パーソナルコンピュータ３００は、ＣＰＵ（Central Processing Unit）３０１、主記憶装置３０２、ネットワークＩ／Ｆ３０３、グラフィックＩ／Ｆ３０４、入出力Ｉ／Ｆ３０５、補助記憶装置Ｉ／Ｆ３０６が、バスにより結合された形態になっている。
【００３７】
ＣＰＵ３０１は、パーソナルコンピュータ３００の各部を制御し、主記憶装置３０２に細胞培養工程管理プログラム６１と、スケジューラプログラム６２をロードして実行する。
【００３８】
主記憶装置３０２は、通常、ＲＡＭなどの揮発メモリで構成され、ＣＰＵ３０１が実行する細胞培養工程管理プログラム６１およびスケジューラプログラム６２、参照するデータが記憶される。
【００３９】
ネットワークＩ／Ｆ３０３は、外部ネットワーク５０と接続するためのインタフェースである。
【００４０】
グラフィックＩ／Ｆ３０４は、ＬＣＤ（Liquid Crystal Display）などの表示装置８０を接続するためのインタフェースである。
【００４１】
入出力Ｉ／Ｆ３０５は、入出力装置を接続するためのインタフェースである。図３の例では、キーボード３１とポインティングデバイスのマウス３２が接続されている。
【００４２】
補助記憶装置Ｉ／Ｆ３０６は、ＨＤＤ（Hard Disk Drive）４１やＤＶＤドライブ（Digital Versatile Disk）４２などの補助記憶装置を接続するためのインタフェースである。
【００４３】
ＨＤＤ４１は、大容量の記憶容量を有しており、本実施形態を実行するための細胞培養工程管理プログラム６１およびスケジューラプログラム６２、データベース７０が格納されている。データベース７０に格納される情報は、図１に示した機器・作業者情報１０１、指図書兼記録書情報１０２、従業員：勤務計画２０１、設備構成２０２、機器：保守計画２０３、培養プロトコル２０４、製品情報２０５、工程情報２１０などの情報である。
【００４４】
ＤＶＤドライブ４２は、ＤＶＤやＣＤなどの光学ディスクにデータを書き込んだり、光学ディスクからデータを読み込んだりする装置である。
【００４５】
次に、図４を用いて本発明の一実施形態に係る作業予定支援システムのソフトウェア構成について説明する。
【００４６】
図３に示した細胞培養工程管理プログラム６１は、図４に示されるように、指示書生成モジュール６１１、指示書更新モジュール６１２、指示書入出力プログラム６１３からなる。
【００４７】
指示書生成モジュール６１１は、指示書のマスタ（テンプレート）から、個々のケースの指図書を生成するモジュールである。
【００４８】
指示書更新モジュール６１２は、指示書の実行予定の変更、承認など指図書を更新するためのモジュールである。
【００４９】
指示書入出力プログラム６１３は、入力装置からの入力を受け付けて、指示書更新モジュール６１２に渡したり、指示書の内容をプリンタや表示装置上に出力するためのモジュールである。
【００５０】
また、図３に示したスケジューラプログラム６２は、図４に示されるように、作業予定スケジューリングモジュール６２１、作業予定入力モジュール６２２、作業予定表示モジュール６２３からなる。
【００５１】
作業予定スケジューリングモジュール６２１は、従業員：勤務計画２０１、設備構成２０２、機器：保守計画２０３、培養プロトコル２０４などのデータベースに格納された情報と、製造開始日／終了日を参照して、従業員勤務予定、機器運用予定などの作業予定をスケジューリングするプログラムである。
【００５２】
作業予定入力モジュール６２２は、作業予定とスケジューリングの決定を入力するモジュールである。
【００５３】
作業予定表示モジュール６２３は、作業予定を表示装置２０上に表示するモジュールである。
【００５４】
細胞培養工程管理プログラム６１とスケジューラプログラム６２は、ＯＳやウィンドウシステムなどのミドルウェア上で動作するアプリケーションプログラムとして、図１に示されたＣＰＵ３０１が主記憶装置３０２上にロードされたこれらのプログラムを実行する。
【００５５】
次に、図５および図９を用いて本発明の一実施形態に係る作業予定支援システムのデータ構造について説明する。
図５は、作業者情報テーブルの一例を示す図である。
図６は、設備構成テーブルの一例を示す図である。
図７は、培養プロトコルテーブルの一例を示す図である。
図８は、製品情報テーブルの一例を示す図である。
図９は、工程イベントテーブルの一例を示す図である。
【００５６】
作業者情報テーブルは、作業者の休みの曜日を設定するためのテーブルであり、図５に示されるように、名前、担当業務、複数の休みシフトのフィールドからなる。
【００５７】
名前のフィールドには、作業者名が格納される。担当業務のフィールドには、作業者の職種が格納される。休みシフトのフィールドは、その作業者の休みの曜日が格納される。休みシフトのフィールドは、一つのフィールドに一つの曜日を格納するようになっており、一つの作業者のレコードに対して、複数の休みシフトのフィールドを持てるようになっている。
【００５８】
設備構成テーブルは、細胞を培養するための設備の情報を格納するためのテーブルであり、図６に示されるように、レイアウト、Ｒｏｏｍｔｙｐｅ、培養器数、Ｏｐｅｎ安全キャビ、Ｃｌｏｓｅ安全キャビ、クリーンベンチ数、コメント、クリーニングのフィールドからなる。
【００５９】
レイアウトのフィールドには、細胞を培養するための環境となる部屋の名称が格納される。Ｒｏｏｍｔｙｐｅのフィールドには、一体型、分離型などの部屋のタイプが格納される。、培養器数のフィールドには、そのレイアウトの中の培養器の数が格納される。Ｏｐｅｎ安全キャビのフィールドには、Ｏｐｅｎ型の安全キャビネットの数が格納される。安全キャビネットとは、外から雑菌が入らず、外へ有害物質を出さないように作業ができるスペースであり、安全キャビネット内の空気を吸引して、フィルターにより濾過し、外へ空気を放出するようになっている。また、Ｏｐｅｎ型の安全キャビネットとは、一部屋で複数同時に利用できない安全キャビネットをいう。Ｃｌｏｓｅ安全キャビのフィールドには、Ｃｌｏｓｅ型の安全キャビネットの数が格納される。Ｃｌｏｓｅ型の安全キャビネットとは、一部屋で複数同時に利用できる安全キャビネットをいう。クリーンベンチ数のフィールドには、クリーンベンチの数が格納される。クリーンベンチとは、組織培養などに関する作業では、無菌操作をおこなうための滅菌状態を作り、その中で、作業をおこなうための装置である。コメントのフィールドには、任意のコメントが格納される。クリーニングフィールドには、ロット切替え時の培養器のクリーニングに必要な時間が格納される。
【００６０】
培養プロトコルテーブルは、培養プロトコルがどのような工程からなり、どのようなリソースを使うかを格納するためのテーブルであり、図７に示されるように、プロトコル、工程Ｎｏ、工程名称、Ｄｏｃｔｏｒ数、Ｌａｂｏｒａｎｔ数、キャビネット数、クリーンベンチ数、培養器数、処理時間数、経過日数からなる。
【００６１】
プロトコルのフィールドには、培養プロトコルの名称が格納される。同じ培養プロトコルが、複数のレコードに格納されてもよい。工程Ｎｏのフィールドには、工程の番号が格納される。各工程は、この工程の番号により一意に識別される。工程名称のフィールドには、工程名称が格納される。Ｄｏｃｔｏｒ数のフィールドには、当該工程に必要な製造責任者数が格納される。Ｌａｂｏｒａｎｔ数のフィールドには、当該工程に必要な製造担当者数が格納される。キャビネット数のフィールドには、当該工程に必要な安全キャビネット数が格納される。クリーンベンチ数のフィールドには、当該工程に必要なクリーンベンチ数が格納される。培養器数のフィールドには、当該工程で使用する培養器チ数が格納される。処理時間数のフィールドには、当該工程に必要な処理時間数が格納される。経過日数のフィールドには、前工程から当該工程までの経過日数が格納される。
【００６２】
製品情報テーブルは、製品に関する情報を格納するためのテーブルであり、図８に示されるように、製品名、開始工程Ｎｏ、作業開始日、作業終了日、プルトコル、要承認（遅延あり）からなる。
【００６３】
製品名のフィールドには、製品の名称が格納される。検体ロットＮｏには、その製品を製造するための検体のロット番号が格納される。開始工程Ｎｏのフィールドには、選択した培養プロトコルの開始番号が格納される。これは、培養プロトコルの工程の途中からでも開始できるようにしているためである。作業開始日のフィールドには、作業を開始する日が格納される。作業終了日のフィールドには、作業を終了する日が格納される。プルトコルのフィールドには、使用される培養プロトコルの名称が格納される。要承認（遅延あり）は、承認主の不在によって工程の遅延が発生するか否かのフラグが格納される。
【００６４】
作業者情報テーブルは、図１に示した作業者情報１０１、設備構成テーブルは、設備構成２０２、培養プロトコルテーブルは、培養プロトコル２０４、製品情報テーブルは、製品情報２０５の各データベースに格納される。
【００６５】
工程イベントテーブルは、各工程に関する情報を保持するテーブルであり、図９に示されるように、管理番号、工程Ｎｏ、工程名称、開始日時、終了日時、承認者、作業者、調整室、培養器からなる。
【００６６】
管理番号は、このレコードの識別子である。工程Ｎｏ、工程名称の各フィールドは、それぞれ、工程の番号と名称であり、培養プロトコルテーブルに格納されたものが記憶される。開始日時、終了日時のフィールドには、その工程の開始日時、終了日時が記憶される。承認者のフィールドには、その作業を承認する者の名称が格納される。作業者は、その作業をおこなう者の名称が格納される。調整室のフィールドには、その工程に使用される調整培養室の名称が格納される。培養器は、その工程に使用される培養器の名称が格納される。
【００６７】
工程イベントテーブルは、スケジュールをしたときに、図１に示した工程情報２１０の中に保持される。
【００６８】
次に、図１０ないし図２２を用いてスケジューラ２０のユーザインタフェースについて説明する。
【００６９】
先ず、図１０を用いてスケジューラ２０のメイン画面について説明する。
図１０は、スケジューラ２０のメイン画面を示す図である。
【００７０】
スケジューラ２０のメイン画面は、入力設定＆結果タブを持っており、このタブをマウスなどによりクリックして選択すると、入力設定エリアと、スケジュールエリアが表示される。
【００７１】
入力設定エリアは、作業者データエリア４０１、設備機器レイアウトエリア４０２、製造データ４０３、培養プロトコル４０４からなる。
【００７２】
スケジュールエリア５００は、横軸に年月日、縦軸に時間をとって、該当するセルを塗りつぶすなどの表示をしてスケジュールを示すものである。
【００７３】
本実施形態では、特に、作業者のスケジュールについて問題とする。
【００７４】
横軸の単位としては、日にちとし、縦軸の時間は、スケジューリングにふさわしい適当な単位で等間隔にとる。図１０には、３０分単位で時間の単位をとった例が示されている。
【００７５】
次に、図１１ないし図１５を用いてスケジューラ２０のデータ入力のユーザインタフェースについて説明する。
図１１は、入力データを読み込んでいる様子を示す図である。
図１２は、従業員と勤務計画について入力データを設定している図である。
図１３は、設備構成について入力データを設定している図である。
図１４は、培養プロトコルについて入力データを設定している図である。
図１５は、製品情報について入力データを設定している図である。
【００７６】
図１１に示されるように、予め定義しておいたテーブルのデータを、取り込むことができる。取り込んだ後は、［ＲＵＮ］のボタンをマウスなどによりクリックすることにより、スケジュールを実行する。
【００７７】
作業者に関するデータを入力するときには、図１２に示されるように、従業員・勤務計画入力画面６１０を利用する。従業員・勤務計画入力画面６１０は、作業者の名称ごとに、その役割と、曜日ごとの休日の設定をおこなう。スケジュールエリア５００には、出勤日の通常の勤務時間にあたるセルが、地色の白に対して、例えば、水色で表示される。休日は、勤務時間がないので、地色の白が表示される。スケジュールエリア５００のセルを、直接、選択して作業をするようにしてもよい。
【００７８】
設備構成入力画面６２０は、図１３に示されるように、レイアウトごとに、一体型か分離型かというレイアウトのタイプ、培養器や安全キャビネットの数を設定する。
【００７９】
培養プロトコル入力画面６３０は、図１４に示されるように、培養プロトコルの各データを入力する。
【００８０】
製品情報設定画面６４０は、図１５に示されるように、製品名ごとに、各データが入力される。
【００８１】
次に、図１６および図１７を用いてスケジュール結果のガントチャート表示について説明する。
図１６は、各設備機器の使用、各作業者のスケジュールのガントチャートを示す図である。
図１７は、製品別の培養のスケジュールのガントチャートを示す図である。
【００８２】
製品別ガントチャートのタブを選択すると、図１６に示すように各設備機器の使用、各作業者の予定のスケジュールを、縦軸に、各設備機器、作業者予定、横軸に日時をとったガントチャートを表示する。
【００８３】
また、図１７に示されるように、製品を縦軸にとって、製品ごとの培養期間を、ガントチャートにより表示するようにしてもよい。
【００８４】
次に、図１８ないし図２１を用いて作業者のスケジュールの結果表示と再スケジュールについて説明する。
図１８は、作業者のスケジュールの結果表示をおこなっている様子を示す図である。
図１９は、日次ごとのスケジュールを示す図である。
図２０および図２１は、再スケジューリングの様子を示す図である。
【００８５】
作業者のスケジュールの結果を表示するためには、作業者データエリア４０１に表示されている作業者の名称をクリックして、選択する。図１８では、スケジュールを表示する作業者として、「日立一郎」が選択されている。スケジュールエリア５００には、設定された作業者の勤務時間が水色で表示される。また、勤務時間の中で、培養の作業予定がある時間に関しては、別の色、例えば、黄色などの目立つ色でセルが表示される。また、図１７に示されるように、スケジュールエリア５００の中のセルを、例えば、右クリックするとそのセルに対応する工程イベントのプロパティを表示するようにしてもよい。
【００８６】
ここで、工程管理責任者が、本実施形態の作業予定支援システムにより、培養に関する作業スケジュールを最適化するために、再割り当てをおこなう場合について説明する。
【００８７】
工程管理責任者は、日次スケジュール結果タブを選択し、スケジュール日付欄６４１にスケジュールを表示する日付を入力する。図１９の例では、２００７年１２月１５日のスケジューリング結果が表示されている。承認作業エリア６５２、製造作業エリア６５３には、それぞれのエリアに指定された日付におこなわれる作業に関する情報が表示される。また、調整培養室エリア６５４、培養器エリア６５５には、それぞれのエリアに指定された日付に使用される調整培養室と、培養器の情報が表示される。
【００８８】
また、休日作業者エリア６６１には、指定された日付が休日になっている作業者が表示される。図１８の例では、「日立三郎」と「日立六郎」が表示されている。
【００８９】
一方、未割当作業エリア６６２は、指定された日付の工程の中で、作業者が割り当てられていない工程の情報が表示される。
【００９０】
工程管理責任者は、この休日作業者エリア６６１と未割当作業エリア６６２の情報を見て、再スケジューリングの作業の割り当てをおこなう。これは、日次スケジュール結果の内容をみて、スケジューラ２０のメイン画面に手入力でおこなうようにしてもよいし、休日作業者エリア６６１に表示された作業者の名称をクリックすることにより、図２０に遷移するようにしてもよい。
【００９１】
図２０では、未割り当ての工程に対して、「日立三郎」が選択されて、再スケジューリングがおこなわれようとしている。工程管理責任者は、未割当作業エリア６５２の情報を見て、この作業者に対して、スケジュールエリア５００のセルをクリックすることにより、割り当てをおこなう。しかしながら、この段階では、この作業者に関する作業が確定しているわけではない。したがって、その際に、例えば、スケジュールが未確定であることを示すために、例えば、薄ピンク色で表示する。また、未割当作業エリア６５２の情報に示される工程の中で、割り当て可能な作業を全て、割り当ててもよい。
【００９２】
そして、工程管理責任者は、作業を割り当てようとしている「日立三郎」と相談して、了解を得てから、スケジュール確定の入力をおこなう。これにより、図２１に示されるように、割り当てられた作業の該当するセルの色を、薄ピンク色から濃いピンク色に変更する。
【００９３】
その後に、［ＲＵＮ］ボタンをクリックすることにより、確定された工程のスケジュールを、工程情報２１０の中の工程イベントテーブルを更新する。また、システム利用者は、図２１のスケジュールエリア５００を見て、「日立三郎」のスケジュールを確認することができる。
【符号の説明】
【００９４】
３００…パーソナルコンピュータ、３０１…ＣＰＵ（Central Processing Unit）、３０２…主記憶装置、３０３…ネットワークＩ／Ｆ、３０４…グラフィックＩ／Ｆ、３０５…入出力Ｉ／Ｆ、３０６…補助記憶装置Ｉ／Ｆ。
【００９５】
３１…キーボード、３２…マウス、４１…ＨＤＤ（Hard Disk Drive）、４２…ＤＶＤドライブ（Digital Versatile Disk）、５０…外部ネットワーク、６１…細胞培養工程管理プログラム、６２…スケジューラプログラム、７０…データベース。
【図１】
2011013752.tif 000003
【図２】
2011013752.tif 000004
【図３】
2011013752.tif 000005
【図４】
2011013752.tif 000006
【図５】
2011013752.tif 000007
【図６】
2011013752.tif 000008
【図７】
2011013752.tif 000009
【図８】
2011013752.tif 000010
【図９】
2011013752.tif 000011
【図１０】
2011013752.tif 000012
【図１１】
2011013752.tif 000013
【図１２】
2011013752.tif 000014
【図１３】
2011013752.tif 000015
【図１４】
2011013752.tif 000016
【図１５】
2011013752.tif 000017
【図１６】
2011013752.tif 000018
【図１７】
2011013752.tif 000019
【図１８】
2011013752.tif 000020
【図１９】
2011013752.tif 000021
【図２０】
2011013752.tif 000022
【図２１】
2011013752.tif 000023